(57)【要約】【課題】色検出による露出制御を行う際、設定された色を明示し、露出制御の調整を迅速にすることが可能な、新規かつ改良された撮像装置及び撮像方法を提供すること。【解決手段】複数の色相値から少なくとも１つの色相値を設定する色相値設定部１４４と、設定された色相値を含む色成分を有する領域を被写体像の画像データから検出する色成分領域検出部１４６と、被写体像の画像データに基づいて、被写体像のうち、検出された色成分を有する領域を第１の色に変換し、検出された色成分を有する領域以外の領域を第１の色と異なる第２の色に変換して、表示部に被写体像を表示する色成分領域表示部１４２とを有する。【選択図】図１
2010177821.tif 000002
【特許請求の範囲】
【請求項１】
複数の色相値から少なくとも１つの色相値を設定する色相値設定部と、
前記設定された色相値を含む色成分を有する領域を被写体像の画像データから検出する色成分領域検出部と、
前記被写体像の画像データに基づいて、前記被写体像のうち、前記検出された色成分を有する領域を第１の色に変換し、前記検出された色成分を有する領域以外の領域を前記第１の色と異なる第２の色に変換して、表示部に前記被写体像を表示する色成分領域表示部と
を有する、撮像装置。
【請求項２】
前記設定された色相値を含む色成分は、前記色相値を中心とした所定の範囲の色の集合である、請求項１に記載の撮像装置。
【請求項３】
前記色相値設定部は、２以上の色相値を設定し、
前記色成分領域検出部は、前記設定された色相値を含む色成分を有する領域を、前記設定された色相値毎に前記被写体像の画像データから検出し、
前記色成分領域表示部は、前記被写体像の画像データに基づいて、前記被写体像のうち、前記検出された複数の色成分のうちいずれかを有する領域を第１の色に変換し、前記検出された複数の色成分のうちいずれかを有する領域以外の領域を前記第１の色と異なる第２の色に変換して、表示部に前記被写体像を表示する、請求項１又は２に記載の撮像装置。
【請求項４】
前記色相値設定部は、２以上の色相値を設定し、
前記色成分領域検出部は、前記設定された色相値を含む色成分を有する領域を、前記設定された色相値毎に前記被写体像の画像データから検出し、
前記色成分領域表示部は、前記被写体像の画像データに基づいて、前記被写体像のうち、前記検出された複数の色成分の全てを満たす領域を第１の色に変換し、前記検出された複数の色成分の全てを満たす領域以外の領域を前記第１の色と異なる第２の色に変換して、表示部に前記被写体像を表示する、請求項１又は２に記載の撮像装置。
【請求項５】
色相値がユーザーによって入力される操作部を更に有し、
前記色相値設定部は、前記操作部に入力された前記色相値に基づいて、前記少なくとも１つの色相値を設定する、請求項１に記載の撮像装置。
【請求項６】
前記所定の範囲がユーザーによって入力される操作部を更に有し、
前記色相値設定部は、前記操作部に入力された前記所定の範囲に基づいた色成分を有する領域を被写体像の画像データから検出する、請求項２に記載の撮像装置。
【請求項７】
複数の色相値から少なくとも１つの色相値を設定するステップと、
前記設定された色相値を含む色成分を有する領域を被写体像の画像データから検出するステップと、
前記被写体像の画像データに基づいて、前記被写体像のうち、前記検出された色成分を有する領域を第１の色に変換し、前記検出された色成分を有する領域以外の領域を前記第１の色と異なる第２の色に変換して、表示部に前記被写体像を表示するステップと
を有する、撮像方法。
【発明の詳細な説明】
【技術分野】
【０００１】
本発明は、撮像装置及び撮像方法に関する。
【背景技術】
【０００２】
デジタルスチルカメラやビデオカメラ等の撮像装置には、受光した光量に基づいて露出を制御する自動露出（ＡＥ：auto  exposure）機能を有するものがある。これにより、撮像装置は、被写体像の明るさを調整することができる。そして、被写体像全体を基準に明るさを調整するのか、又は被写体像の一部、例えば人物の顔を基準に明るさを調整するのかによって、被写体像の明るさが変化する。例えば、被写体像全体を基準に明るさを調整するとき、人物の周囲に照明や窓などの高輝度の光源が存在すると、人物が暗くなり、撮影者が期待する適正な明るさに調整できないことがあった。
【０００３】
そこで、人物を対象として露出制御するため、例えば顔認識技術を用いることが考えられる。しかし、従来の顔認識技術は画像のエッジ情報に基づいているため、演算量が多くなり、回路規模が大きくなる傾向にある。
【０００４】
一方、被写体の色に着目して、特定の色を有する被写体を対象として露出制御する技術がある。例えば、特許文献１には、光源を判定して肌色条件を設定し、画像内から肌色の色相を有する領域を検出する技術が開示されている。そして、検出された領域に基づいて、人物の顔が適正な明るさ及び色で再現されるように、明るさ補正、ホワイトバランス補正などが行われる。また、特許文献２には、光学像に含まれる色成分を検出して、検出された色成分から適正露出値を算出する技術が開示されている。
【先行技術文献】
【特許文献】
【０００５】
【特許文献１】特開２００４−１９２１２９号公報
【特許文献２】特開２０００−６９４９０号公報
【発明の概要】
【発明が解決しようとする課題】
【０００６】
しかし、特定の色を有する被写体を対象として露出制御する場合、ユーザーが着目する被写体の色をどのように選択するかについては、検討されていないため、被写体の色に着目した露出制御を実現することが困難であった。
【０００７】
また、複数の色から特定の色を選択して、その特定の色を有する被写体を対象とした露出制御を迅速に実現するためには、例えばグラフィックユーザーインターフェース（ＧＵＩ）をユーザーに提供することが考えられる。しかし、従来、適正なＧＵＩは従来検討されていなかったため、ユーザーが想像する色と実際の被写体の色とを一致させることは困難であり、ユーザーが希望する色を有する被写体を対象とした露出制御を迅速に実現できないという問題があった。
【０００８】
そこで、本発明は、上記問題に鑑みてなされたものであり、本発明の目的とするところは、色検出による露出制御を行う際、設定された色を明示し、露出制御の調整を迅速にすることが可能な、新規かつ改良された撮像装置及び撮像方法を提供することにある。
【課題を解決するための手段】
【０００９】
上記課題を解決するために、本発明のある観点によれば、複数の色相値から少なくとも１つの色相値を設定する色相値設定部と、設定された色相値を含む色成分を有する領域を被写体像の画像データから検出する色成分領域検出部と、被写体像の画像データに基づいて、被写体像のうち、検出された色成分を有する領域を第１の色に変換し、検出された色成分を有する領域以外の領域を第１の色と異なる第２の色に変換して、表示部に被写体像を表示する色成分領域表示部とを有する撮像装置が提供される。
【００１０】
上記設定された色相値を含む色成分は、色相値を中心とした所定の範囲の色の集合であってもよい。
【００１１】
上記色相値設定部は、２以上の色相値を設定し、色成分領域検出部は、設定された色相値を含む色成分を有する領域を、設定された色相値毎に被写体像の画像データから検出し、色成分領域表示部は、被写体像の画像データに基づいて、被写体像のうち、検出された複数の色成分のうちいずれかを有する領域を第１の色に変換し、検出された複数の色成分のうちいずれかを有する領域以外の領域を第１の色と異なる第２の色に変換して、表示部に被写体像を表示してもよい。
【００１２】
上記色相値設定部は、２以上の色相値を設定し、色成分領域検出部は、設定された色相値を含む色成分を有する領域を、設定された色相値毎に被写体像の画像データから検出し、色成分領域表示部は、被写体像の画像データに基づいて、被写体像のうち、検出された複数の色成分の全てを満たす領域を第１の色に変換し、検出された複数の色成分の全てを満たす領域以外の領域を第１の色と異なる第２の色に変換して、表示部に被写体像を表示してもよい。
【００１３】
色相値がユーザーによって入力される操作部を更に有し、色相値設定部は、操作部に入力された色相値に基づいて、少なくとも１つの色相値を設定してもよい。
【００１４】
上記所定の範囲がユーザーによって入力される操作部を更に有し、色相値設定部は、操作部に入力された所定の範囲に基づいた色成分を有する領域を被写体像の画像データから検出してもよい。
【００１５】
また、上記課題を解決するために、本発明の別の観点によれば、複数の色相値から少なくとも１つの色相値を設定するステップと、設定された色相値を含む色成分を有する領域を被写体像の画像データから検出するステップと、被写体像の画像データに基づいて、被写体像のうち、検出された色成分を有する領域を第１の色に変換し、検出された色成分を有する領域以外の領域を第１の色と異なる第２の色に変換して、表示部に被写体像を表示するステップとを有する撮像方法が提供される。
【発明の効果】
【００１６】
以上説明したように本発明によれば、色検出による露出制御を行う際、設定された色を明示し、露出制御の調整を迅速にすることができる。
【図面の簡単な説明】
【００１７】
【図１】本発明の第１の実施形態に係る撮像装置を示すブロック図である。
【図２】同実施形態に係るカメラブロック、システムブロックを示すブロック図である。
【図３】本実施形態に係る撮像装置１００のＡＥ処理動作を示すフローチャートである。
【図４】本実施形態に係る撮像装置１００の色検出ＡＥ処理における色選択処理の動作を示すフローチャートである。
【図５】ある輝度における色相・彩度図１９０を示す説明図である。
【図６】被写体像を示す説明図である。
【図７】被写体像を示す説明図である。
【図８】被写体像を示す説明図である。
【図９】被写体像を示す説明図である。
【図１０】被写体像を示す説明図である。
【図１１】被写体像を示す説明図である。
【図１２】被写体像を示す説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．本実施形態に係る撮像装置１００の構成
２．本実施形態に係る撮像装置１００の動作
【００２０】
＜１．撮像装置１００の構成＞
まず、図１を参照して、本発明の第１の実施形態に係る撮像装置１００の構成について説明する。図１は、本実施形態に係る撮像装置１００を示すブロック図である。図２は、本実施形態に係るカメラブロック１３０、システムブロック１６０を示すブロック図である。本実施形態に係る撮像装置１００は、例えばデジタルスチルカメラ、デジタルビデオカメラなどであり、被写体像をデジタルデータとして記録することができる。
【００２１】
撮像装置１００は、例えば、レンズ１１０と、撮像素子１２０と、カメラブロック１３０と、システムブロック１６０と、映像ディスプレイ１７０と、リモートコントローラ１８０などからなる。
【００２２】
レンズ１１０は、被写体からの光を透過させて、撮像装置１２０に被写体像を結像させる。レンズ１１０は、例えば、ＮＤフィルタ機構１１２と、ズームレンズ１１４と、絞り機構１１６と、フォーカスレンズ１１８などからなる。
【００２３】
ＮＤフィルタ機構１１２は、例えばズームレンズ１１４よりも被写体側に設置される。ＮＤフィルタ機構１１２は、レンズ１１０に入射される光量を減少させる。ＮＤフィルタ機構１１２は、カメラマイコン１３４からの制御信号を受けて、ＮＤフィルタの位置を変化させる。
【００２４】
ズームレンズ１１４は、レンズ１１０の焦点距離を変化させて、被写体像をズームインしたり、ズームアウトしたりする。絞り機構１１６は、被写体からの光を遮断して、撮像素子１２０に到達する光量を調整する。絞り機構１１６は、カメラマイコン１３４からの制御信号を受けて、開口径を変化させる。フォーカスレンズ１１８は、撮像素子１２０に被写体像を合焦させる。
【００２５】
撮像素子１２０は、例えばＣＣＤ（Charge  Coupled  Devices）、ＣＭＯＳ（Complementary  Metal  Oxide  Semiconductor）撮像素子などの固体撮像素子であり、レンズ１１０を通じて被写体から入射された光を電気信号に変換する。また、撮像素子１２０は、電子シャッター機構１２２を有する。電子シャッター機構１２２は、カメラマイコン１３４からの制御信号を受けて、シャッター速度を変化させる。
【００２６】
カメラブロック１３０は、例えば、ＤＳＰ（Digital  Signal  Processor）１３２と、カメラマイコン１３４などからなる。カメラマイコン１３４は、例えばＣＰＵであり、メモリに格納されたプログラムを実行することにより、ＤＳＰ１３２及び撮像装置１００全体を統括的に制御し、また、その制御のための各種演算を実行する。
【００２７】
ＤＳＰ１３２は、例えば、マスターゲイン調整部１３６と、ＷＢゲイン調整部１３８と、色領域検出器１４０と、検波器１５０などからなる。マスターゲイン調整部１３６は、カメラマイコン１３４において露出量に基づいて算出されたマスターゲイン値を取得する。マスターゲイン調整部１３６は、マスターゲイン値に基づいて、被写体像の明るさ等を調整する。ＷＢゲイン調整部１３８は、カメラマイコン１３４において画像データの色成分に基づいて算出されたＷＢゲイン値を取得する。ＷＢゲイン調整部１３８は、ＷＢゲイン値に基づいて、画像データを調整する。
【００２８】
色領域検出器１４０は、検出色領域表示部１４２と、色成分設定部１４４と、検出色領域生成部１４６などからなる。検出色領域表示部１４２は、設定された色成分と同一又は近似する色成分を有する領域を明確にするため、画面に検出色領域を表示できるように映像信号を生成する。検出色領域表示部１４２は、色成分領域表示部の一例であり、検出された色成分を有する領域以外の領域を第１の色と異なる第２の色に変換して、表示部に被写体像を表示する。色成分設定部１４４は、ユーザーが検出したい対象とする被写体が有する色成分を設定する。色成分は、例えば、色彩値、彩度値、明度値及びそれぞれの範囲からなる。色成分設定部１４４は、色相値設定部の一例である。検出色領域生成部１４６は、色成分領域検出部の一例であり、画像データから、設定された色成分と同一又は近似する色成分を有する部分を検出する。そして、検出色領域生成部１４６は、検出された部分を検出色領域信号として生成し、検波器１５０の積分処理部１５２とカウンタ処理部１５４に出力する。
【００２９】
検波器１５０は、積分処理部１５２と、カウンタ処理部１５４などからなる。検波器１５０は、例えばＡＥ（auto  exposure：自動露出）のための検波を行う。積分処理部１５２は輝度算出部の一例であり、検出色領域信号の輝度値に基づいて、検出された色領域の輝度積分値を算出する。積分処理部１５２は、算出した輝度積分値をカメラマイコン１３４に出力する。カウンタ処理部１５４は面積算出部の一例であり、検出色領域信号に基づいて、検出された色領域の画素数をカウントする。これにより、検出色領域の積分面積が算出される。カウンタ処理部１５４は、算出した積分面積をカメラマイコン１３４に出力する。
【００３０】
システムブロック１６０は、ＦＰＧＡ（Field  Programmable  Gate  Array）１６２と、ビデオエンコーダ１６６と、システムマイコン１６８などからなる。ＦＰＧＡ１６２には、ＧＵＩ部１６４が含まれる。ＧＵＩ部１６４は、ＯＳＤ（オンスクリーンディスプレイ）情報を生成する。
【００３１】
ビデオエンコーダ１６６は、画像データを基に、モニタ表示用の映像信号を生成し、映像ディスプレイ１７０に出力する。システムマイコン１６８は、例えばＣＰＵであり、メモリに格納されたプログラムを実行することにより、システムブロック１６０全体を統括的に制御し、また、その制御のための各種演算を実行する。
【００３２】
映像ディスプレイ１７０は、例えば撮像装置１００に設けられた液晶ディスプレイ、有機ＥＬディスプレイなどであり、映像信号による映像を表示する。映像ディスプレイ１７０は、被写体像を表示するだけでなく、例えばメニュー画面の表示や、検出された色領域の表示などをする。
【００３３】
リモートコントローラ１８０は、ユーザーによって操作され、操作内容に応じた制御信号を生成する。そして、リモートコントローラ１８０は、生成した制御信号をシステムマイコン１６８に出力する。
【００３４】
＜２．撮像装置１００の動作＞
次に、図３を参照して、本実施形態に係る撮像装置１００のＡＥ処理動作について説明する。図３は、本実施形態に係る撮像装置１００のＡＥ処理動作を示すフローチャートである。
【００３５】
撮像装置１００のＡＥ（auto  exposure：自動露出制御）は、被写体を撮影する際、被写体像の明るさを適切にするために行われる。まず、撮像装置１００では、目標輝度レベルが決定される（ステップＳ１０１）。目標輝度レベルは、対象とする被写体像をどの程度明るくするかによって、値が異なる。目標輝度レベルは、一定としてもよいし、撮影シーンに応じて決定されるとしてもよい。撮影シーンは、ユーザーによって選択されてもよいし、取得された画像データから判断されてもよい。
【００３６】
次に、画像データから輝度値を取得し、取得した輝度値に基づいて、ＡＥ検波値を算出する。ＡＥ検波値は、被写体像全体の輝度を基準に算出される。このとき、算出された被写体像全体のＡＥ検波値は正規化されて、現在の輝度レベルとしてまず算出される（ステップＳ１０２）。ここで、ＡＥ検波値の正規化とは、検波面積に依存しない輝度レベルを算出することである。つまり、画素ごとに輝度を積算した積分値を、積分した画素数で除算し、検波エリアの面積、積分している画素数に依存せず、輝度レベルを同様に比較できるようにすることである。ＡＥの動作モードの違い、たとえばスポットライトを探してＡＥするモードでは、通常の検波エリアの９分の１の面積でＡＥ検波値を得る。後述する色検出ＡＥでは、色領域の面積でＡＥ検波値を得る。また、映像信号フォーマットが異なる場合、たとえば、１９２０×１０８０モードと、１２８０×７２０モードでは、モニタ上での検波エリアの面積が同じ用に見えても得られるＡＥ検波値の積分している画素数は異なる。このようなＡＥ検波値が正規化されることによって、ＡＥ動作モードによる検波面積の違いや、映像信号フォーマットの違いに関わらず、ＡＥ検波値を同様に扱うことができる。
【００３７】
その後、色検出ＡＥ処理を行う。まず、色検出ＡＥ処理が実行されるか否かが判断される（ステップＳ１０３）。色検出ＡＥ処理が実行されない場合は、被写体像全体の輝度レベルが現在の輝度レベルとなり、被写体像全体の現在の輝度レベルが目標輝度レベルになるように露出制御がされる（ステップＳ１０６）。
【００３８】
一方、色検出ＡＥ処理は、画像データから特定の色成分を有する領域を検出し、その検出された色領域の輝度レベルを算出する（ステップＳ１０４）。そして、算出された、検出された色領域の輝度レベルを、現在の輝度レベルとする（ステップＳ１０５）。ここで、特定の色成分とは、対象としたい被写体の色成分であり、例えば、顔検出をする場合は肌色の色成分などである。
【００３９】
その後、検出された色領域の現在の輝度レベルが目標輝度レベルになるように露出制御がされる（ステップＳ１０６）。露出制御では、例えば、算出された目標輝度レベルとなるように、ゲイン、絞りの開口値、シャッター速度が調整される。
【００４０】
以上の動作によって、被写体像の画像データに基づいて、ＡＥ処理動作が行われる。また、本実施形態では、特定の色成分を有する領域を参照した色検出ＡＥ処理が実行される。
【００４１】
次に、図４を参照して、本実施形態に係る撮像装置１００の色検出ＡＥ処理における色選択処理の動作について説明する。図４は、本実施形態に係る撮像装置１００の色検出ＡＥ処理における色選択処理の動作を示すフローチャートである。
【００４２】
まず、ユーザーによって検出したい被写体の色相値、彩度値、輝度値が入力される（ステップＳ１１１）。入力方法は、例えば、図５に示すような色相・彩度図１９０が映像ディスプレイ１７０の画面に表示されて、ユーザーが色相・彩度図１９０から検出したい色相値及び彩度値の範囲を選択できるようにする方法がある。このとき、色相・彩度図１９０の輝度を調整できるようにしておく。図５に設定された色成分１９２の例を示す。図５は、ある輝度における色相・彩度図１９０を示す説明図である。色成分１９２は、色相値、彩度値、輝度値によって特定される。ある色成分は、色相・彩度図１９０において、例えば、色成分１９２のように表される。これにより、ユーザーは色相・彩度図１９０から大体の色を見当づけることができるため、迅速に色を選択することができる。
【００４３】
また、色相値、彩度値、輝度値の入力方法としては、リモートコントローラ１８０、又は外部接続されたパーソナルコンピュータのキーボードを介して、色相値、彩度値、輝度値の数値が直接入力されるとしてもよい。
【００４４】
ユーザーによって、色相値、彩度値、輝度値、これらの範囲が入力されると、撮像装置１００には、検出対象とする色相値、彩度値、輝度値で表される色成分の範囲が設定される（ステップＳ１１２）。
【００４５】
そして、設定された色相値などの色成分と同一又は近似する色成分を有する色領域が画像データから検出される（ステップＳ１１３）。例えば、人物の顔を対象とする場合、肌色の色成分が設定されている。そして、画像データから肌色の色成分の同一又は近似する色成分を有する領域が検出される。
【００４６】
次に、ユーザーが設定した色と同一又は近似する色成分が被写体像に含まれるかを確認するための表示に移行する場合について説明する。この表示は、チェックモードと称してもよい。チェックモードに移行されると、撮像装置１００は、ステップＳ１１３で検出された色領域を第１の色に変換し、それ以外の色領域を第２の色に変換する（ステップＳ１１４）。そして、変換された色に基づいて被写体像が映像ディスプレイ１７０（表示部）の画面に表示される（ステップＳ１１５）。
【００４７】
例えば、図６に示すような被写体像が得られているとき、人物の顔の色成分と同一又は近似する色成分が設定されている場合を想定すると、ステップＳ１１３では人物の顔が検出される。図６は、被写体像を示す説明図である。そして、ステップＳ１１４において、ステップＳ１１３で検出された色領域を白色、それ以外の色領域を黒色に変換する場合、図７（Ａ）に示すように、顔部分が白色に変換され、それ以外の部分が黒色に変換され、映像ディスプレイ１７０の画面に被写体像が表示される。
【００４８】
次に、ユーザーによって、検出したい被写体の色相値、彩度値、輝度値が再入力されたか否かが判断される（ステップＳ１１６）。再入力がされた場合は、ステップＳ１１２に戻り、新たに設定された色成分を有する色領域が検出される（ステップＳ１１３）。そして、新たに検出された色領域が白色に変換され、その他の色が黒色に変換されて（ステップＳ１１４）、映像ディスプレイ１７０の画面に被写体像が表示される（ステップＳ１１５）。
【００４９】
例えば、図６に示すような被写体像のうち、人物の背景にある壁と同一又は近似する色成分が新たに入力、設定された場合を想定すると、図７（Ｂ）に示すように、壁部分が白色に変換され、それ以外の部分が黒色に変換される。また、図６に示すような被写体像のうち、人物の背景にある窓と同一又は近似する色成分が新たに入力、設定された場合を想定すると、図７（Ｃ）に示すように、窓部分が白色に変換され、それ以外の部分が黒色に変換される。
【００５０】
以上のように、本実施形態によれば、ユーザーが設定した色と同一の色が例えば白色表示され、その他の部分が黒色表示されるため、色検出ＡＥのために設定した色を迅速に確認することかできる。
【実施例１】
【００５１】
次に、色相値などの色成分の設定において、２以上の色成分を設定できる場合について説明する。
【００５２】
２つの色成分（色成分Ａ、色成分Ｂ）が設定されているとき、上述したチェックモードによって、２つの色成分のうち１つの色成分（色成分Ａ）と同一又は近似する色領域が検出されたときは、図８（Ａ）に示すように表示される場合がある。図８（Ａ）は、色成分Ａが人物の顔の色と同一又は近似する場合である。
【００５３】
そして、１つの色成分（色成分Ａ）の範囲を固定したまま、他の色成分（色成分Ｂ）の範囲を変化させると、上述したチェックモードによって、２つの色成分（色成分Ａ、色成分Ｂ）それぞれと同一又は近似する色領域が検出されたときは、図８（Ｂ）に示すように表示される。図８（Ｂ）は、色成分Ａが人物の顔の色と同一又は近似し、色成分Ｂが人物の顔の色と同一又は近似する場合である。
【００５４】
更に、１つの色成分（色成分Ａ）の範囲を固定したまま、他の色成分（色成分Ｂ）の範囲を変化させると、上述したチェックモードによって、２つの色成分（色成分Ａ、色成分Ｂ）それぞれと同一又は近似する色領域が検出されたときは、図８（Ｃ）に示すように表示される。図８（Ｃ）は、色成分Ａが人物の顔の色と同一又は近似し、色成分Ｂが壁の色と同一又は近似する場合である。
【実施例２】
【００５５】
次に、色相値などの色成分の設定において、２以上の色成分を設定でき、それぞれの色成分をＯＲ条件で検出する場合、それぞれの色成分をＡＮＤ条件で検出する場合について説明する。
【００５６】
例えば、図５に示す色相・彩度図において、色成分Ａは色成分１９２、色成分Ｂは色成分１９４であるとき、ＯＲ条件では、色成分１９２と色成分１９４のいずれかと同一又は近似する色領域が検出される。従って、ＯＲ条件によって、２つの色成分（色成分Ａ、色成分Ｂ）が設定されているとき、上述したチェックモードによって、図９（Ａ）に示すように表示される。図９（Ａ）は、色成分Ａが人物の顔の色と同一又は近似し、色成分Ｂが人物の顔の色と同一又は近似する場合である。
【００５７】
一方、例えば、図５に示す色相・彩度図において、色成分Ａは色成分１９２、色成分Ｂは色成分１９４であるとき、ＡＮＤ条件では、色成分１９２と色成分１９４の両者を満たす部分と同一又は近似する色領域が検出される。即ち、色成分１９２と色成分１９４が重なる部分の色成分のみが検出される。従って、ＡＮＤ条件によって、２つの色成分（色成分Ａ、色成分Ｂ）が設定されているとき、上述したチェックモードによって、図９（Ｂ）に示すように表示される。検出対象となる色成分の範囲が狭いため、人物の顔全体が白色表示されるのではなく、人物の顔のうち色成分が一致しない部分について黒色が表示されている。
【００５８】
また、例えば、図５に示す色相・彩度図において、色成分Ａは色成分１９２、色成分Ｂは色成分１９６であるとき、ＯＲ条件では、色成分１９２と色成分１９６のいずれかと同一又は近似する色領域が検出される。従って、ＯＲ条件によって、２つの色成分（色成分Ａ、色成分Ｂ）が設定されているとき、上述したチェックモードによって、図１０（Ａ）に示すように表示される。図９（１０）は、色成分Ａが人物の顔の色と同一又は近似し、色成分Ｂが壁の色と同一又は近似する場合である。
【００５９】
一方、例えば、図５に示す色相・彩度図において、色成分Ａは色成分１９２、色成分Ｂは色成分１９６であるとき、ＡＮＤ条件では、色成分１９２と色成分１９６の両者を満たす部分と同一又は近似する色領域が検出される。しかし、色成分１９２と色成分１９６が重なる部分はない。従って、ＡＮＤ条件によって、２つの色成分（色成分Ａ、色成分Ｂ）が設定されているとき、上述したチェックモードによって、図１０（Ｂ）に示すように表示される。即ち、検出された色領域はなく黒色表示のみになる。
【実施例３】
【００６０】
次に、色相値などの色成分の設定において、２以上の色成分を設定でき、かつそれぞれの色成分の範囲を変化させることができる場合について説明する。
【００６１】
図１１では、色成分Ａが一方の人物の顔の色と同一又は近似するように設定され、色成分Ｂが他方の人物の顔の色と同一又は近似するように設定されている場合を想定する。しかし、色成分Ａの範囲を狭めた場合、一方の人物の顔の色は検出されなくなり、図１１に示すように、チェックモードでは、一方の人物の顔は白色表示されない。
【００６２】
また、色成分Ａ及び色成分Ｂの範囲が適正であり、２人の人物の顔の色が検出されているときは、チェックモードでは図８（Ｂ）に示すように表示される。そして、露出制御された結果、図１２（Ａ）に示すように、２人の人物が適正な明るさになるように表示される。一方、色成分Ａ及び色成分Ｂの範囲を狭めて、両者の人物の顔の色が検出されなくなったときは、チェックモードでは全画面が黒色表示される。そして、露出制御された結果、図１２（Ｂ）に示すように、人物の背景にある窓が高輝度であるため、被写体全体を暗くしようと露出制御されるため、人物の顔が暗くなってしまい、２人の人物が適正な明るさにならない。
【００６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６４】
１００    撮像装置
１１０    レンズ
１１０    レンズ
１１２    ＮＤフィルタ機構
１１４    ズームレンズ
１１６    絞り機構
１１８    フォーカスレンズ
１２０    撮像素子
１２２    電子シャッター機構
１３０    カメラブロック
１３２    ＤＳＰ
１３４    カメラマイコン
１３６    マスターゲイン調整部
１３８    ＷＢゲイン調整部
１４０    色領域検出器
１４２    検出色領域表示部
１４４    色成分設定部
１４６    検出色領域生成部
１５０    検波器
１５２    積分処理部
１５４    カウンタ処理部
１６２    ＦＰＧＡ
１６４    ＧＵＩ部
１６６    ビデオエンコーダ
１６８    システムマイコン
１７０    映像ディスプレイ
１８０    リモートコントローラ
【図１】
2010177821.tif 000003
【図２】
2010177821.tif 000004
【図３】
2010177821.tif 000005
【図４】
2010177821.tif 000006
【図５】
2010177821.tif 000007
【図７】
2010177821.tif 000008
【図８】
2010177821.tif 000009
【図９】
2010177821.tif 000010
【図１０】
2010177821.tif 000011
【図１１】
2010177821.tif 000012
【図６】
2010177821.tif 000013
【図１２】
2010177821.tif 000014